(57)【特許請求の範囲】
【請求項１】
少なくとも２つの音声信号を混合する装置であって、
前記少なくとも２つの音声信号を受け取る複数の入力と、
第１音声信号のパワーの大きさである第１パワー信号を導出するための第１ユニットと、
第２音声信号のパワーの大きさである第２パワー信号を導出するための第２ユニットと、
前記第１音声信号と前記第２音声信号との間の相互相関の大きさである相互相関信号を導出するための相互相関ユニットと、
前記第１パワー信号、前記第２パワー信号、および前記相互相関信号から少なくとも１つの乗算パラメータを導出するためのユニットと、
前記第１音声信号および前記第２音声信号に対して、
（１）前記第１音声信号に乗算パラメータを乗算すること、
（２）前記第２音声信号に乗算パラメータを乗算すること、
（３）前記乗算された第１音声信号および前記乗算された第２音声信号を結合して混合音声信号を生成すること、
と同等である信号処理を実行するための乗算および結合ユニットと、
を備え、
乗算パラメータを導出するための前記ユニットは、前記第１パワー信号、前記第２パワー信号、および前記相互相関信号の結合の大きさである結合信号を導出するための結合ユニットと、乗算パラメータを導出するための前記ユニットにおいて、スケーリング信号を用いて信号成分をスケーリングするためのスケーリングユニットとを有し、
前記スケーリング信号（Ｄ［ｋ］）は、第１周波数の値よりも低い周波数の範囲においては実質的に一定であり、前記第１周波数の値とより高い第２周波数の値との間の周波数の範囲においては増加し、前記第２周波数の値を越える周波数の範囲においては再び実質的に一定である周波数特性を有し、
乗算パラメータを導出するための前記ユニットは、前記結合信号から単一の乗算パラメータ（ｍ［ｋ］）を導出し、
前記乗算および結合ユニットは、前記第１音声信号および前記第２音声信号に対して、
（ｉ）前記第１音声信号および前記第２音声信号を前記単一の乗算パラメータによって乗算すること、および
（ｉｉ）前記乗算された第１音声信号および前記乗算された前記第２音声信号を結合すること、
と同等である信号処理を実行する、装置。
【請求項２】
前記第２周波数を越えた場合の前記周波数特性における前記実質的に一定の値はＤＵに等しく、ＤＵは［０．３６；０．８１］の値の範囲内にあり、前記第１周波数よりも低い場合の前記実質的に一定の値はａ・ＤＵに等しく、ａは０≦ａ＜１を満たす、請求項１に記載の装置。
【請求項３】
ａは好ましくはゼロに等しい、請求項２に記載の装置。
【請求項４】
前記第１音声信号、前記第２音声信号、および前記相互相関信号は、周波数ドメインに変換された信号（Ａ［ｋ］、Ｂ［ｋ］、Ｓ［ｋ］）であり、
前記スケーリングユニットは、式ｙＡＢ［ｋ］＝ｘＡＢ［ｋ］・Ｄ［ｋ］に従ってスケーリングされた相互相関信号を導出するために、スケーリング信号によって前記相互相関信号をスケーリングし、ｙＡＢ［ｋ］は前記スケーリングされた相互相関信号であり、ｘＡＢ［ｋ］は前記相互相関信号であり、Ｄ［ｋ］は前記スケーリング信号であり、ｋは周波数パラメータである、請求項１から請求項３のいずれか１項に記載の装置。
【請求項５】
前記結合ユニットは、式Ｃ［ｋ］＝（（１＋Ｌ）・（ｅＡ［ｋ］＋ｅＢ［ｋ］）／（（１＋Ｌ）・（ｅＡ［ｋ］＋ｅＢ［ｋ］）＋２・ｙＡＢ［ｋ］））１／２に従って前記結合信号（Ｃ［ｋ］）を導出し、ｅＡ［ｋ］およびｅＢ［ｋ］はそれぞれ前記第１パワー信号および前記第２パワー信号であり、Ｌは、その値が負ではなく好ましくは［０．０５；０．５］の値の範囲内にある一定の限定パラメータである、請求項４に記載の装置。
【請求項６】
乗算パラメータを導出するための前記ユニットは、式ｍ［ｋ］＝Ｃ［ｋ］に従って、前記結合信号から前記単一の乗算パラメータを導出し、ｍ［ｋ］は前記単一の乗算パラメータの前記値である、請求項５に記載の装置。
【請求項７】
前記第２周波数を越えた場合の前記周波数特性における前記実質的に一定の値はＤＵ'に等しく、ＤＵ'は［０．６；０．９］の値の範囲内にあり、前記第１周波数よりも低い場合の前記実質的に一定の値はａ'・ＤＵ'に等しく、ａ'は０≦ａ'＜１を満たす、請求項１に記載の装置。
【請求項８】
ａ'は好ましくはゼロに等しい、請求項７に記載の装置。
【請求項９】
前記第１音声信号、前記第２音声信号、および前記相互相関信号は、周波数ドメインに変換された信号（Ａ［ｋ］、Ｂ［ｋ］、Ｓ［ｋ］）であり、
前記結合信号（Ｃ［ｋ］）を導出するための前記結合ユニットは、式Ｃ［ｋ］＝（（１＋Ｌ）・（ｅＡ［ｋ］＋ｅＢ［ｋ］）／（（１＋Ｌ）・（ｅＡ［ｋ］＋ｅＢ［ｋ］）＋２・ｘＡＢ［ｋ］））１／２に従って信号処理を実行し、ｅＡ［ｋ］およびｅＢ［ｋ］はそれぞれ前記第１パワー信号および前記第２パワー信号であり、ｘＡＢ［ｋ］は前記相互相関信号であり、Ｌは［０．０５；０．５］の値の範囲内にある一定の限定パラメータであり、ｋは周波数パラメータである、請求項１または請求項７に記載の装置。
【請求項１０】
前記スケーリングユニットは、式（Ｃ［ｋ］−１）・Ｄ'［ｋ］＋１に従って、前記スケーリングされた結合信号を導出するためのスケーリング信号によって前記結合信号をスケーリングし、Ｄ'［ｋ］は前記スケーリング信号である、請求項９に記載の装置。
【請求項１１】
乗算パラメータを導出するための前記ユニットは、
式ｍ［ｋ］＝（Ｃ［ｋ］−１）・Ｄ'［ｋ］＋１に従って、前記スケーリングされた結合信号から前記単一の乗算パラメータを導出し、ｍ［ｋ］は前記単一の乗算パラメータである、請求項１０に記載の装置。
【請求項１２】
Ｌ＝０である、請求項５または請求項９に記載の装置。
【請求項１３】
前記相互相関信号が予め定められた閾値よりも低いかどうかを確定し、前記相互相関信号が前記閾値よりも小さいことに応答して切替制御信号を生成し、乗算パラメータを導出するための前記ユニットへ前記切替制御信号を供給する閾値検出器をさらに備え、
乗算パラメータを導出するための前記ユニットは、第１乗算パラメータ（ｍＡ［ｋ］）を導出するため、および一定の値を有する第２乗算パラメータ（ｍＢ［ｋ］）を導出するために、前記切替制御信号を受け取ることに応答して前記第１パワー信号、前記第２パワー信号、および前記相互相関信号に対して他の信号処理ステップへと切替え、
前記乗算および結合ユニットは、前記第１音声信号および前記第２音声信号に対して、前記第１音声信号を前記第１乗算パラメータで乗算し、前記第２音声信号を前記第２乗算パラメータで乗算し、前記乗算された第１音声信号および前記乗算された第２音声信号を結合することと同等な信号処理ステップをさらに実行する、請求項１から請求項１２のいずれか１項に記載の装置。
【請求項１４】
前記第１音声信号、前記第２音声信号、および前記相互相関信号は、周波数ドメインに変換された信号（Ａ［ｋ］、Ｂ［ｋ］、Ｓ［ｋ］）であり、
前記スケーリングユニットは、前記切替制御信号を受け取ることに応答して、式ｙ'ＡＢ［ｋ］＝ｘＡＢ［ｋ］・Ｄ"［ｋ］に従い前記相互相関信号に対して他のスケーリングステップへと切替え、ｙ'ＡＢ［ｋ］は前記スケーリングされた相互相関信号であり、ｘＡＢ［ｋ］は前記相互相関信号であり、Ｄ"［ｋ］は前記他のスケーリングステップに対する他のスケーリング信号であり、ｋは周波数パラメータである、請求項１３に記載の装置。
【請求項１５】
前記他のスケーリング信号（Ｄ"［ｋ］）は、第３周波数よりも低い周波数の範囲においては実質的に一定であり、前記第３周波数とより高い第４周波数との間の周波数の範囲においては増加し、前記第４周波数を越える周波数の範囲においては再び実質的に一定である周波数特性を有する、請求項１４に記載の装置。
【請求項１６】
前記第４周波数の値を越えた場合の前記周波数特性における前記実質的に一定の値はＤＵ"に等しく、ＤＵ"は［０．５；１］の値の範囲内にあって好ましくは１に等しく、前記第３周波数の値よりも低い場合の前記周波数特性における前記実質的に一定の値はａ"・ＤＵ"に等しく、ａ"は［０；１］の値の範囲内にある、請求項１５に記載の装置。
【請求項１７】
乗算パラメータを導出するための前記ユニットは、式ｍＡ［ｋ］＝（（ｙ'ＡＢ［ｋ］／（ｅＡ［ｋ］＋Ｌ'・ｅＢ［ｋ］））２＋１）１／２−ｙ'ＡＢ［ｋ］／（ｅＡ［ｋ］＋Ｌ'・ｅＢ［ｋ］）に従って前記第１乗算パラメータ（ｍＡ［ｋ］）を導出し、ｅＡ［ｋ］およびｅＢ［ｋ］はそれぞれ前記第１パワー信号および前記第２パワー信号であり、ｙ'ＡＢ［ｋ］は前記スケーリングされた相互相関信号であり、Ｌ'は、その値が負ではなく好ましくは［０．０５；０．５］の値の範囲内にある一定の限定パラメータであり、ｋは周波数パラメータであり、前記第２乗算パラメータ（ｍＢ［ｋ］）は１に等しい、請求項１４から請求項１６のいずれか１項に記載の装置。
【請求項１８】
前記予め定められた閾値はゼロに等しい、請求項１３から請求項１７のいずれか１項に記載の装置。
【請求項１９】
前記第１周波数は前記第３周波数と等しく、前記第２周波数は前記第４周波数と等しい、請求項１５から請求項１８のいずれか１項、ただし請求項１７および請求項１８は、請求項１５または請求項１６に従属する場合、に記載の装置。
【請求項２０】
ａ"は好ましくは１に等しい、請求項１６に記載の装置。
【請求項２１】
Ｌ'＝０である、請求項１７に記載の装置。
【請求項２２】
前記第１ユニットは、式ｅＡ［ｋ］＝Ｒｅ（Ａ［ｋ］）・Ｒｅ（Ａ［ｋ］）＋Ｉｍ（Ａ［ｋ］）・Ｉｍ（Ａ［ｋ］）に従って前記第１パワー信号を導出し、Ａ［ｋ］は周波数ドメインに変換された前記第１音声信号の前記周波数の値であり、
前記第２ユニットは、式ｅＢ［ｋ］＝Ｒｅ（Ｂ［ｋ］）・Ｒｅ（Ｂ［ｋ］）＋Ｉｍ（Ｂ［ｋ］）・Ｉｍ（Ｂ［ｋ］）に従って前記第２パワー信号を導出し、Ｂ［ｋ］は周波数ドメインに変換された前記第２パワー信号の前記周波数の値であり、
前記相互相関ユニットは、式ｘＡＢ［ｋ］＝Ｒｅ（Ａ［ｋ］）・Ｒｅ（Ｂ［ｋ］）＋Ｉｍ（Ａ［ｋ］）・Ｉｍ（Ｂ［ｋ］）に従って前記相互相関信号を導出し、
ＲｅおよびＩｍは、それぞれ、前記周波数の値の実部および虚部である、請求項４から請求項２１のいずれか１項に記載の装置。
【発明の詳細な説明】
【背景技術】
【０００１】
本発明は、主要な請求項のプリアンブル部に従った、少なくとも２つの音声信号を混合するための装置に関する。そのようなタイプの装置は、国際公開第２０１１／０５７９２２号より知られており、そこでは、ステレオ音声信号中のサラウンド音声信号を実現するためのダウンミックス装置において使用されている。
【０００２】
このダウンミックス装置においては、音色のカラレーションを取り除く役割を果たすくし形フィルタ補償が使用される。このプロセスにおいては、再生の間に、個々のチャネルの音響パワーの平均レベルが足し合わされた音場が発生するものとの仮定が成されている。従ってこれは、混合されるべき入力信号があたかも無相関であるかのように作用する平均した再生領域中において、周波数スペクトルを生成する。
【０００３】
既知のダウンミックス装置には、くし形フィルタ補償ダウンミックスにおいて、低周波数の信号成分が誤った音量で再生されるという欠点がある。
【０００４】
チャネル信号中の低周波数成分は、通常、音声生成において位相がそろっている（または、少なくとも強く相関している）。その場合、再生領域における同様に大きな波長のために、個々のチャネルの音波の位相は、互いにほとんどずれることがない。従ってまた、音響パワーのレベルではなく、ここでは音圧が足し合わされるであろう。
【０００５】
しばしばこれは、ダウンミックスくし形フィルタ補償が、音楽中においてベース音域を残りの部分に比べてより静かな状態にしておくことにつながる。これは、パワー総和による、いわゆる"ありがた迷惑"なことである。通常の加算に基づいた（故に、くし形フィルタ補償を用いない）ダウンミックスが、ベース音域に対してはより適しているであろう。サラウンドに対してとステレオに対してとの２つの別個の混合物を作成した音響エンジニアであれば、それを聞いた場合に音場中のそれらの差異を知覚できるであろう。従って、混合物におけるそれらを考慮するであろう。しかしこの差異に対して規定の大きさを決定することはできない。何故ならば、この大きさは、信号そのものに加えて再生領域の特性にも依存するであろうからである。反響する音響成分に対する直接的な音響成分の比がここでは決定的な量である（T. Gorne, Tontechnik [Sound Engineering], p. 377を参照のこと）。
【０００６】
発明は、サラウンドをステレオにダウンミックス（surround-to-stereo downmix）する場合に、音質および立体感の大部分を保持することに加えて、ステレオ型の再生においても、元々のサラウンド型におけるものと同じように知覚される音量を確実に実現し、従って、混合物の品質が、音響エンジニアによる別個の混合物のものに近付くようになることを確実にするためのミキシング装置を提案するという課題に基づくものである。
【０００７】
発明に従ったミキシング装置は、請求項１にて求められる、そのための特徴を有する。発明に従ったミキシング装置の有利な設計形態が従属する請求項に含まれている。
【０００８】
発明は、混合物において周波数に依存するスケーリングを提供するステップに基づいている。特にこのスケーリングは、周波数に依存して、中間域から高周波数に対しては一定の値ＤＵを有し、低周波数に向かう遷移領域中においては、小さな残余成分ａ・ＤＵまで連続的に減少する。
【０００９】
典型的な再生領域に対する遷移領域の実際的な値は、下限ｋＬに対しては２５０−５００Ｈｚ程度であり、上限ｋＵに対しては７５０−１５００Ｈｚ程度であり、スケーリング信号の残余成分係数ａはゼロである。ｋＬ、ｋＵ、およびａに対する値の選択は、混合物を最適化するためにも使用することができる。また、再生領域の状況次第では、プロセス中において上記の典型的な値から外れてもよい。
【００１０】
遷移のために直線関数を使用することが思い浮かぶ。
【００１１】
拡張された解決法のアイデアは、仮に、一緒に足し合わされるべきだが互いに対して反相関的な複数のスペクトル成分があったとしても、これらに対して、低減された程度にスケーリングを実行することである。これは、後者が低周波数にも現れるような場合において、スケーリングの大きさが、くし形フィルタノッチの所望されるバランスを犠牲にしたものとなることを防ぐ。反相関的な成分は、混合されるべき信号の相互相関のそれらに伴う値が、優先的には値としてゼロを有する閾値よりも低下するという事実によって識別することができる。
【００１２】
これを解決する方法は、ダウンミックス加算器において、低周波数に対する通常の加算と、より高い周波数に対するパワー総和との間に連続的な遷移を生成することである。
【００１３】
プロセスにおいては、そのくし形フィルタ補償効果の程度を制御する能力、および、必要であれば、互いに対して相関のある足し合わされるべきスペクトル成分と、互いに対して反相関的な足し合わされるべきスペクトル成分とを区別する能力が与えられた発明に従ったスケーリングが、周波数の範囲におけるパワー総和に対して適用される。
【００１４】
独国特許出願公開第１０２００９０５２９９２号明細書および国際公開第２００４／０８４１８５号もまた、少なくとも２つの音声信号を混合するための装置を開示していることに留意すべきである。しかしながら、これらの文献中に開示されるスケーリング信号に関する限りにおいては、スケーリング係数は一定であり、周波数に依存しない。ましてや、請求されるような特定の周波数依存性は開示していない。
【図面の簡単な説明】
【００１５】
発明は、以下の図面の記載におけるいくつかの例を用いて、さらに説明されるであろう。図面には以下のことが示されている。
【００１６】
【図１】発明に従ったミキシング装置の第１の例を示す。
【００１７】
【図２】図１に従った例における、周波数の関数としてのスケーリング信号の挙動を示す。
【００１８】
【図３】発明に従ったミキシング装置の第２の例を示す。
【００１９】
【図４】第１の例の拡張版である、ミキシング装置の第３の例を示す。
【００２０】
【図５】図３に従った例における、周波数の関数としての他のスケーリング信号の挙動を示す。
【００２１】
【図６】第２の例の拡張版である、ミキシング装置の第４の例を示す。
【００２２】
【図７】２つよりも多くの音声信号を混合するためのミキシング装置を示す。
【００２３】
【図８】図６に従った例における、予め確立された閾値よりも相互相関信号が低下する場合の、周波数の関数としてのスケーリング信号の挙動を示す。
【発明を実施するための形態】
【００２４】
図１は、発明に従ったミキシング装置の例を示す。この例においては、２つの音声信号が混合されて、混合音声信号を形成する。ミキシング装置には、ここでは既に周波数の範囲に変換されている２つの音声信号Ａ［ｋ］およびＢ［ｋ］を受け取るための、第１入力１０１および第２入力１０２が備えられている。どちらの入力も、相互相関信号ｘＡＢ［ｋ］を導出するための相互相関ユニット（１０３）の対応する入力に結合されている。相互相関信号ｘＡＢ［ｋ］は、それぞれＡ［ｋ］およびＢ［ｋ］である第１および第２音声信号間の相互相関の大きさである。同様に、入力１０１は、第１音声信号Ａ［ｋ］のパワーの大きさである第１パワー信号ｅＡ［ｋ］を導出するための第１ユニット１０４の入力に結合されている。同様に、入力１０２は、第２音声信号Ｂ［ｋ］のパワーの大きさである第２パワー信号ｅＢ［ｋ］を導出するための第２ユニット（１０５）の入力に結合されている。
【００２５】
ミキシング装置は、第１および第２パワー信号、並びに相互相関信号から少なくとも１つの乗算パラメータを導出するためのユニット１０６をさらに備える。ユニット１０６の複数の入力は、ユニット１０３、１０４、および１０５におけるそのための対応する出力に結合されている。さらに、第１および第２音声信号Ａ［ｋ］およびＢ［ｋ］に信号処理を実行するために、乗算および結合ユニット１０７が設けられている。乗算および結合ユニット１０７の複数の入力は、そのためのミキシング装置の対応する入力１０１および１０２に接続されている。乗算および結合ユニット１０７は、第１および第２音声信号Ａ［ｋ］およびＢ［ｋ］に対して、下記と同等なその信号処理を実行するように設定されている。
・第１音声信号Ａ［ｋ］を乗算パラメータｍＡ［ｋ］で乗算する。
・第２音声信号Ｂ［ｋ］を乗算パラメータｍＢ［ｋ］で乗算する。
・そのように乗算された第１および第２音声信号を結合して混合音声信号Ｓ［ｋ］を生成し、この混合音声信号Ｓ［ｋ］を出力１０８へと送る。
【００２６】
乗算パラメータを導出するためのユニット１０６には、スケーリング信号Ｄ［ｋ］を用いて乗算パラメータを導出するために、ユニット１０６中の信号をスケーリングするためのスケーリングユニット１０９が設けられている。この例においては、相互相関信号ｘＡＢ［ｋ］をこのスケーリング信号Ｄ［ｋ］で乗算して、スケーリングされた相互相関信号ｙＡＢ［ｋ］を得る。
【００２７】
スケーリングされた相互相関信号ｙＡＢ［ｋ］は、結合信号を導出するための結合ユニット１１０の入力へと送られる。結合信号は、それぞれｅＡ［ｋ］およびｅＢ［ｋ］である第１および第２パワー信号、並びに（この場合スケーリングされている）相互相関信号ｙＡＢ［ｋ］の結合の大きさである。第１ユニット１０３および第２ユニット１０４の出力は、同様に、そのための、結合ユニット１１０の対応する入力に結合されている。
【００２８】
スケーリング信号Ｄ［ｋ］は図２に示される周波数特性を有する。周波数特性は、第１周波数ｋＬよりも低いところでは実質的に一定であり、第１周波数ｋＬと、それよりも高い第２周波数ｋＵとの間においては増加し、第２周波数ｋＵを越えると再び実質的に一定である。
【００２９】
第２周波数ｋＵを越えた場合の実質的に一定の値はＤＵであって、［０．３６；０．８１］の値の範囲内にあり、好ましくは０．４９に等しい。第１周波数ｋＬよりも低い場合の実質的に一定の値はａ・ＤＵに等しく、ａに対しては０≦ａ＜１が当てはまる。
【００３０】
この例において結合ユニット１１０は、Ｃ［ｋ］＝（（１＋Ｌ）・（ｅＡ［ｋ］＋ｅＢ［ｋ］）／（（１＋Ｌ）・（ｅＡ［ｋ］＋ｅＢ［ｋ］）＋２・ｙＡＢ［ｋ］））１／２に従って結合信号を導出するように設定されている。Ｌはゼロよりも大きいか等しく、導出された乗算パラメータの量値の限界をもたらし、出力信号の不連続性を防止する。そのため、これによって音声上破壊的な人工物の確率が低減される。Ｌの典型的な値は［０．０５；０．５］の範囲内にある。
【００３１】
この例においては、少なくとも１つの乗算パラメータを導出するためのユニット（１０６）によって、互いに等しい２つのパラメータが導出される。実際のところ、結合信号Ｃ［ｋ］はここでは２つの同一な乗算パラメータに等しく、従って、Ｃ［ｋ］＝ｍ［ｋ］＝ｍＡ［ｋ］＝ｍＢ［ｋ］である。
【００３２】
その結果、乗算および結合ユニット１０７は、同等である第１および第２音声信号に対して、この単一の乗算パラメータを第１音声信号および第２音声信号に乗算する信号処理を実行するように設定され、また、このようにして乗算された第１および第２音声信号を結合して混合信号Ｓ［ｋ］を得るように設定される。この乗算および結合プロセスは、図１に示されるように実行することができる。しかしながら、その他の方法で乗算および結合が可能なことも自明である。もちろんまたＡ［ｋ］およびＢ［ｋ］は、まず第１に一緒に足し合わされてよく、その後で総和信号に単一の乗算パラメータｍ［ｋ］を乗算することができる。
【００３３】
図１のミキシング装置が動作する方法をここからは考察する。
【００３４】
乗算および結合ユニット１０７は、入力信号Ａ［ｋ］およびＢ［ｋ］の混合物をもたらす。混合物中においては、混合信号のパワーが、大部分の入力信号のパワーレベルの和と対応するように、入力信号の振幅が補正されている。この対応は、くし形フィルタ効果の顕著な補償をもたらす。さらに、これに対する要件は、混合物が加えられるべき信号は周波数の範囲に変換された音声信号であること、および、対応する各周波数ｋの信号成分に対して記載されたような態様で混合物が実行されることである。
【００３５】
振幅は、それぞれ乗算パラメータｍＡ［ｋ］またはｍＢ［ｋ］によるＡ［ｋ］またはＢ［ｋ］の関連する乗算によって補正される。乗算パラメータは、以下に説明されるように、プロセス中の上記の補正を実現するために、特定の様式によって入力信号Ａ［ｋ］およびＢ［ｋ］から順に導出される。共有で単一の乗算パラメータｍ［ｋ］が導出され、図１の場合には、ｍＡ［ｋ］およびｍＢ［ｋ］の両者と同一である。
【００３６】
ｍＡ［ｋ］およびｍＢ［ｋ］がともに１に設定される場合には、振幅補正の無い、すなわち、くし形フィルタ補償の無い状況がもたらされることにここでは留意すべきである。これは、程度が異なるくし形フィルタ補償効果間で取り組まれた遷移を実現するために活用される。ｍＡ［ｋ］およびｍＢ［ｋ］の導出を変動させることによって、くし形フィルタ補償の無い状態と、くし形フィルタ補償が支配的な状態との間の範囲内の遷移がもたらされる。この変動は、乗算パラメータを導出するためのユニット１０６に関する以下の記載の主題である。
【００３７】
乗算パラメータを導出するためのユニット１０６の動作方法は、支配的なくし形フィルタ補償に対する乗算パラメータの導出に基づいており、結合ユニット１１０と、１０９における上流側のスケーリングとによって実現される。
【００３８】
結合ユニットから導出されるべき結合信号Ｃ［ｋ］は、最初に述べたパワー解析からであることを確実にする。そこから続く導出をここで簡単に概略説明しよう。パワーの条件はまず最初に完全なくし形フィルタ補償に対して設定される。次いで、最大のスケーリング効果においてｍＡ［ｋ］およびｍＢ［ｋ］の両者が１となり、そのためにくし形フィルタ補償効果が取り除かれるように、この条件に対応するＣ［ｋ］の最初の導出に対して任意のスケーリングが加えられる。
【００３９】
完全なくし形フィルタ補償とは、混合信号Ｓ［ｋ］＝Ａ［ｋ］・ｍＡ［ｋ］＋Ｂ［ｋ］・ｍＢ［ｋ］のパワーｅＳ［ｋ］＝Ｒｅ（Ｓ［ｋ］）・Ｒｅ（Ｓ［ｋ］）＋Ｉｍ（Ｓ［ｋ］）・Ｉｍ（Ｓ［ｋ］）が、入力信号のパワーレベルの和に等しく、従って、ｅＡ［ｋ］＋ｅＢ［ｋ］であることを意味するであろう。とりわけ、ｅＡ［ｋ］、ｅＢ［ｋ］、およびｘＡＢ［ｋ］に対しては既知である定義を用いて、乗算パラメータの最初の導出がｍＡ［ｋ］＝ｍＢ［ｋ］＝Ｃ［ｋ］＝（（ｅＡ［ｋ］＋ｅＢ［ｋ］）／（ｅＡ［ｋ］＋ｅＢ［ｋ］＋２・ｘＡＢ［ｋ］））１／２として定義される場合、このパワーの式が満たされることを計算上推測することができる。既に述べたように、完全なくし形フィルタ補償のみが、この最初の導出を用いてスケーリング無しに実現することができる。
【００４０】
最初の導出において相互相関ｘＡＢ［ｋ］が０に近付く場合は、その結果はＣ［ｋ］＝１に近付くことがわかるであろう。従って、いかなる場合においても、ｘＡＢ［ｋ］の任意で漸近的な低減によって、乗算パラメータが値１に漸近的に接近することがもたらされる。
【００４１】
この関係によって、相互相関信号ｘＡＢ［ｋ］を用いてスケーリングが行われる。これは、周波数に依存するスケーリング信号Ｄ［ｋ］による乗算を含み、その結果であるｙＡＢ［ｋ］は、最初の導出からｘＡＢ［ｋ］を置き換える。
【００４２】
すると、パワー信号ｅＡ［ｋ］およびｅＢ［ｋ］に対して適用された付加的な係数（１＋Ｌ）だけが、発明に従った結合信号の導出の詳述に対して欠けている。その効果は、スケーリングの説明に対しては無視することができる。
【００４３】
係数（１＋Ｌ）は、Ｌ＞０に対して、入力信号の信号成分が互いに相殺し合う場合のような特定の状況下において、音声上破壊的となり得る位相の飛びが発生できる状況をもたらす。この相殺は、とりわけ、入力信号成分の位相が反対であり、故に、互いに対して反相関的であることが前提である。
【００４４】
Ｄ［ｋ］によるスケーリングは、取り組まれたように、くし形フィルタ補償の無い状態と完全なくし形フィルタ補償との間の範囲にある、支配的な状態から低減された状態のくし形フィルタ補償への遷移を引き起こす。例えば、１を用いたスケーリングは完全なくし形フィルタ補償をもたらし、０を用いたスケーリングはくし形フィルタ補償の無い状態をもたらすであろう。従って、周波数依存性は、周波数ｋとともに増大する周波数特性の形で実現される。カットオフ周波数ｋＵは高い信号周波数の範囲を制限する。低カットオフ周波数ｋＬは低い信号周波数の範囲を制限する。遷移領域はそれらの間に位置する。高い方のカットオフ周波数ｋＵを越えたところでの一定のスケーリング値ＤＵにより、支配的なくし形フィルタ補償によって高い信号周波数が処理される。低い方のカットオフ周波数ｋＬを下回るところでの、より小さい一定のスケーリング値ａ・ＤＵにより、低減されたフィルタ補償によって低い信号周波数が処理される。不連続性の無い遷移曲線が好まれ、これによって人工物が避けられる。従って、カットオフ周波数間の範囲に対する遷移への単純な解決法として、直線状の線分が適している。周波数特性のこれらの特徴が図２中に例の形で示されている。例えば、点（ｋＬ，ａ・ＤＵ）と点（ｋＵ，ＤＵ）とを接続する放物線状の線分のような、連続的に増加するその他の関数も、遷移曲線として適している。これらから不連続性は生じない。
【００４５】
これらの値ｋＵ、ｋＬ、ＤＵおよびａに対する要件は、高周波数に対するくし形フィルタ効果の知覚性から、低周波数に対する音量の歪みから、および人工物から得られる。これらの値は、製造者によって最適化および特定されることができるか、あるいは、個々の調節用にユーザにとって入手可能とすることができる。
【００４６】
図３は、発明に従ったミキシング装置の第２の例を示す。図３のミキシング装置は、図１のミキシング装置と類似している。ミキシング装置には、ここでは既に周波数の範囲に変換されている２つの音声信号Ａ［ｋ］およびＢ［ｋ］を受け取るための第１入力３０１および第２入力３０２が備えられている。どちらの入力も、相互相関信号ｘＡＢ［ｋ］を導出するための相互相関ユニット３０３の対応する入力に結合されている。同様に入力３０１は、第１パワー信号ｅＡ［ｋ］を導出するための第１ユニット３０４の入力に結合されている。同様に入力３０２は、第２パワー信号ｅＢ［ｋ］を導出するための第２ユニット３０５の入力に結合されている。
【００４７】
ミキシング装置は、第１および第２パワー信号、並びに相互相関信号から、少なくとも１つの乗算パラメータ（この場合は、やはり互いに等しい２つの乗算パラメータであるｍＡ［ｋ］とｍＢ［ｋ］）を導出するためのユニット３０６をやはり備える。さらに、出力３０８において出力信号Ｓ［ｋ］を生成するための乗算および結合ユニット３０７が設けられる。
【００４８】
乗算パラメータを導出するためのユニット３０６は、乗算パラメータを導出するためのユニット３０６中の信号をスケーリング信号Ｄ'［ｋ］によって乗算するためのスケーリングユニット３０９を再び備える。この例においては、結合ユニット３１０の出力信号がこのスケーリング信号Ｄ'［ｋ］によって乗算され、スケーリングされた結合信号を得る。
【００４９】
スケーリング信号Ｄ'［ｋ］は、図５に示される周波数特性を有する。周波数特性は、第１周波数ｋＬ'よりも低いところでは実質的に一定であり、第１周波数ｋＬ'と、それよりも高い第２周波数ｋＵ'との間においては増加し、第２周波数ｋＵ'を越えると再び実質的に一定である。
【００５０】
第２周波数ｋＵ'を越えた場合の実質的に一定の値はＤＵ'であって、［０．６；０．９］の値の範囲内にあり、好ましくは０．７に等しい。第１周波数ｋＬ'よりも低い場合の実質的に一定の値はａ'・ＤＵ'に等しく、ａ'に対しては０≦ａ'＜１が当てはまる。
【００５１】
結合ユニット３１０は、第１および第２パワー信号ｅＡ［ｋ］およびｅＢ［ｋ］、並びに相互相関信号ｘＡＢ［ｋ］の結合の大きさである結合信号を導出するように設定されている。ユニット３０３、３０４、および３０５の出力は、結合ユニット３１０における、そのための対応する入力に結合されている。
【００５２】
この例において結合ユニット３１０は、Ｃ［ｋ］＝（（１＋Ｌ）・（ｅＡ［ｋ］＋ｅＢ［ｋ］）／（（１＋Ｌ）・（ｅＡ［ｋ］＋ｅＢ［ｋ］）＋２・ｘＡＢ［ｋ］））１／２に従って結合信号Ｃ［ｋ］を導出するように設定されている。
【００５３】
結合信号は、スケーリングされた結合信号を導出するためのスケーリングユニット３０９において、次式に従って補償信号Ｄ'［ｋ］によって乗算される。すなわち、（Ｃ［ｋ］−１）・Ｄ'［ｋ］＋１に従う。
【００５４】
乗算パラメータを導出するためのユニット３０６は、この例においては、ｍ［ｋ］＝（Ｃ［ｋ］−１）・Ｄ'［ｋ］＋１に従って、スケーリングされた結合信号から単一の乗算パラメータｍ［ｋ］を導出するようにさらに設定されている。
【００５５】
ここからは、図３のミキシング装置が動作する方法を考察する。
【００５６】
その動作方法は、乗算パラメータを導出するためのユニット３０６に存在する差異、つまり、３０９におけるスケーリングが結合ユニット３１０の下流側であるということを除くと、図１に関して説明されたものとほとんど大部分が対応する。
【００５７】
結合ユニット３１０から導出されるべき結合信号Ｃ［ｋ］は、１１０におけるものと同じ方法で生じる。
【００５８】
図１中とは異なり、乗算パラメータが値１へと漸近的に接近することはまた、Ｃ［ｋ］と１との間の差異の任意の漸近的な低減によってもたらされることがわかる。
【００５９】
その関係によって、結合信号Ｃ［ｋ］を用いてスケーリングが行われる。ここではこれは、１の減算、続いて周波数に依存するスケーリング信号Ｄ'［ｋ］による乗算、および、続く１の加算を含む。
【００６０】
スケーリングは、１０９と同様に、様々な程度のくし形フィルタ補償効果間の取り組まれた遷移をもたらす。スケーリング値１はまた、３０９における完全なくし形フィルタ補償をもたらし、スケーリング値０はくし形フィルタ補償の無い状態をもたらすであろう。従って、周波数依存は、周波数ｋとともに増大する周波数特性の形で実現される。しかしながら、０と１との間にあるスケーリング値は、１０６中と比べると、３０６中の乗算パラメータに対して幾分異なる効果を与える。従って、その固有の特徴ｋＵ'、ｋＬ'、ＤＵ'、およびａ'を有するスケーリング信号Ｄ'［ｋ］の個別の周波数特性は、必要であれば３０６において定義および最適化が成される。これは、図５の例の形で示される。その値に対する対応する要件は、１０６におけるものと同じ考慮を受ける。
【００６１】
一般に、図２中のｋＬは図５中のｋＬ'と等しく、図２中のｋＵは図５中のｋＵ'と等しいであろう。しかしながら、ｋＬおよびｋＵに対する特定の場合においては、それぞれｋＬ'およびｋＵ'に対するものとは異なるように値が選択されるであろうことは、排除することができない。
【００６２】
図４は、発明に従ったミキシング装置の第３の例を示す。図４のミキシング装置は、図１のミキシング装置に類似している。図４に従った例は、本質的には図１に従った例であるが、閾値検出器４１１がさらに備えられている。閾値検出器４１１には、相互相関ユニット４０３の出力に結合される入力が設けられている。相互相関信号ｘＡＢ［ｋ］は、閾値検出器４１１において、予め特定される閾値Ｔと比較される。
【００６３】
相互相関信号ｘＡＢ［ｋ］が閾値Ｔよりも低下しない場合には、乗算パラメータｍＡ［ｋ］およびｍＢ［ｋ］は、図１に示される乗算パラメータを導出するためのユニット１０６における場合と同様に、ユニット４０６において導出されるであろう。
【００６４】
図４中のブロック４１０における式は、実際のところ、図１中のブロック１１０におけるものとは異なる。しかし図４においてはＬ＝０という仮定が成される。そしてＬ＝０の場合、図１中のブロック１１０における式は、図４中のブロック４１０における式へと直接的に変化する。ユニット４０６によって反相関的入力信号成分が処理から排除されるので、Ｌ＝０という特定の場合がここでは許される。相関性のある入力信号成分のみがユニット４０６によって処理される。この区別は、後ほどより詳細に記載する閾値検出器の機能に起因する。Ｌの作用の仕方については、既に図１に対して記載されている。Ｌ＞０が当てはまる場合、Ｌはその目的を実行するだけであること、すなわち、反相関的入力信号成分に対して、実行可能な相殺によって位相の飛びを防止することは、この点から明白である。相殺は、相関性のある入力信号成分に対しては成され得ない。従って、ユニット４０６において排他的に処理される相関性のある入力信号成分に対しては、Ｌの効果は必要無いであろう。２つの式の間において残った計算上の差異は、相関性のある入力信号成分に対しては非常に小さいであろうから、実質的に何の意味も無い。従って、Ｌ＝０という特定の場合は、ブロック１１０のものに対して、ブロック４１０の導出式における明白な単純化をもたらす。
【００６５】
相互相関信号が閾値Ｔよりも低下する場合に対する乗算パラメータｍＡ［ｋ］およびｍＢ［ｋ］を導出するために、ユニット４０６において、信号ｘＡＢ［ｋ］、ｅＡ［ｋ］、およびｅＢ［ｋ］の異なる信号処理が実行される。これはまた、図４においてブロック４０６'によって示される。乗算パラメータを導出するためのユニット４０６'における異なる形の信号処理が、以下においてより詳細に説明される。
【００６６】
ここでは相互相関信号は、スケーリングされた相互相関信号ｙ'ＡＢ［ｋ］を得るために、異なるスケーリング信号Ｄ"［ｋ］によって乗算される。スケーリング信号Ｄ"［ｋ］が図８に示される。
【００６７】
スケーリング信号Ｄ"［ｋ］は、第３周波数ｋＬ"よりも低いところでは実質的に一定であり、第３周波数ｋＬ"と、それよりも高い第４周波数ｋＵ"との間においては増加し、第４周波数を越えると再び実質的に一定であるような周波数特性を有する。第４周波数ｋＵ"を越えた場合の実質的に一定の値はＤＵ"であって、［０．５；１］の値の範囲内にある。ＤＵ"は好ましくは１に等しい。第３周波数ｋＬ"よりも低い場合の実質的に一定の値はａ"・ＤＵ"に等しく、ａ"は［０；１］の値の範囲内にある。
【００６８】
ここで第１乗算パラメータｍＡ［ｋ］は、ｍＡ［ｋ］＝（（ｙ'ＡＢ［ｋ］／（ｅＡ［ｋ］＋Ｌ'・ｅＢ［ｋ］））２＋１）１／２−ｙ'ＡＢ［ｋ］／（ｅＡ［ｋ］＋Ｌ'・ｅＢ［ｋ］）に従って、ブロック４０６'において導出される。
【００６９】
第２乗算パラメータｍＢ［ｋ］は１に等しい値を有する。
【００７０】
予め特定される閾値Ｔは、好ましくはゼロに等しい。閾値検出器４１１は、乗算パラメータを導出するためのユニット４０６、４０６'の制御入力へと送られる制御信号を供給するための出力を有する。相互相関信号ｘＡＢ［ｋ］が閾値Ｔよりも大きいかあるいは等しい場合、閾値検出器４１１の出力において第１制御信号が生成される。相互相関信号ｘＡＢ［ｋ］が閾値Ｔよりも小さい場合、閾値検出器４１１の出力において第２制御信号が生成される。乗算パラメータを導出するためのユニット４０６は、第１制御信号に応答して、図１中のブロック１０６に示されるように動作する。Ｌは、ブロック４０６に示されるように、必要であればゼロにすることができる。乗算パラメータを導出するためのユニットは、第２制御信号に応答して、図４中のブロック４０６'に示されるように動作する。
【００７１】
乗算パラメータを導出するためのユニット４０６（４０６'）における信号処理は、ハードウェアまたはソフトウェアによって実行することができる。従って、図４中のブロック４０６および４０６'に示されるように、それぞれ第１または第２制御信号４１５に応答して、ハードウェアまたはソフトウェアによる切り替えが行われる。
【００７２】
相互相関信号ｘＡＢ［ｋ］が閾値Ｔよりも低下しない場合において、図４に従った例が作用する方法は、図１を用いて既に説明されている。ブロック４０６'に従った他の信号処理は、相互相関信号ｘＡＢ［ｋ］が閾値Ｔを越える場合に効果を発揮するであろう。この動作の様式はここで簡単に説明されよう。
【００７３】
図４に従った装置は、相関性のある信号成分と反相関的な信号成分とを区別する。これは、後者に対して特別な処理を行うことを目的としている。周波数ｋの信号成分は、付随する相互相関信号と閾値Ｔとの間の差異が正または負である場合に、それぞれ相関性がある、または、反相関的であるとみなされる。これは、典型的な値Ｔ＝０に対する慣習的な定義と一致する。
【００７４】
相関性のある入力信号成分は、結合ユニット４１０によって処理される。スケーリングユニット４０９を用いた４１０におけるくし形フィルタ補償効果の周波数依存性の低減は、１１０におけるものと同じように動作する。
【００７５】
反相関的入力信号成分は結合ユニット４１０'によって処理される。結合ユニット４１０'に対する修正された導出の仕様は、１１０におけるものと同じように、完全なくし形フィルタ補償、および、入力信号の信号成分が互いに相殺される場合であるＬ'＞０に対して、位相の飛びの防止をもたらす。スケーリングユニット４０９'を用いた４１０'におけるくし形フィルタ補償効果の周波数依存性の低減は、１１０におけるものと同じように動作する。
【００７６】
その固有の関数特性ｋＵ"、ｋＬ"、ＤＵ"、およびａ"を有する別個の関数Ｄ"［ｋ］は、やはり、必要であれば４０９'において定義および最適化が成される。これは、図８中の例の形で示されている。その値に対して対応する要件は、既に上記されている。
【００７７】
Ｄ"［ｋ］は反相関的な信号成分のみについて参照し、且つ、反相関的な信号成分は普通は低周波数に対しては発生しないという事実は、そのタイプの信号成分に対して、相関性のある信号成分と同じ処理がそれらに行われる場合に比べて、より大きなくし形フィルタ補償効果が実現されるという状況をもたらす。この目的を達成するために、有利にも、ａ"＞ａ'とすることにより、Ｄ"［ｋ］に対してはＤ'［ｋ］に対する場合よりも小さい周波数依存が選択され、ｋＵ"＝ｋＵ'、ｋＬ"＝ｋＬ'、およびＤＵ"＝ＤＵ'が維持される。最適化の結果、ａ"＝１を選択することにより、Ｄ"［ｋ］の周波数依存が完全に消えるであろうという実現可能な要件も含まれる。
【００７８】
図６は、発明に従ったミキシング装置の第４の例を示す。図６のミキシング装置は、図３のミキシング装置および図４のミキシング装置に類似している。図６に従った例は、本質的には図３に従った例であるが、閾値検出器６１１がさらに備えられている。閾値検出器６１１には、相互相関ユニット６０３の出力に結合される入力が設けられている。
【００７９】
相互相関信号ｘＡＢ［ｋ］が閾値Ｔよりも低下しない場合には、乗算パラメータｍＡ［ｋ］およびｍＢ［ｋ］は、図３に示される乗算パラメータを導出するためのユニット３０６における場合と同様に、ユニット６０６において導出されるであろう。
【００８０】
図６中のブロック６１０における式は、実際のところ、図３中のブロック３１０におけるもとのは異なる。しかし図６においてはＬ＝０という仮定が成される。そしてＬ＝０の場合、図３中のブロック３１０における式は、図６中のブロック６１０における式へと直接的に変化する。これは、図４を用いて既に記載されたものと同じ理由により許される。
【００８１】
相互相関信号が閾値Ｔよりも低下する場合に対する乗算パラメータｍＡ［ｋ］およびｍＢ［ｋ］を導出するために、信号ｘＡＢ［ｋ］、ｅＡ［ｋ］、およびｅＢ［ｋ］の異なる信号処理が実行される。これはまた、図６においてブロック６０６'によって示される。
【００８２】
乗算パラメータを導出するためのユニット６０６'における異なる形の信号処理が、以下においてより詳細に説明される。
【００８３】
ここでは相互相関信号は、スケーリングされた相互相関信号ｙ'ＡＢ［ｋ］を得るために、異なるスケーリング信号Ｄ"［ｋ］によって乗算される。スケーリング信号Ｄ"［ｋ］は図８に再び示されており、図４を用いて既に詳細に記載されている。
【００８４】
ここで第１乗算パラメータｍＡ［ｋ］は、ｍＡ［ｋ］＝（（ｙ'ＡＢ［ｋ］／（ｅＡ［ｋ］＋Ｌ'・ｅＢ［ｋ］））２＋１）１／２−ｙ'ＡＢ［ｋ］／（ｅＡ［ｋ］＋Ｌ'・ｅＢ［ｋ］）に従って、ブロック６０６'において導出される。
【００８５】
第２乗算パラメータｍＢ［ｋ］は１に等しい値を有する。
【００８６】
その結果、ｘＡＢ［ｋ］が閾値Ｔよりも小さい場合の動作の態様は、図４を用いて既に記載されている動作の態様と同じである。
【００８７】
スケーリングユニット６０９を用いた６１０における、相関性のある入力信号成分に対するくし形フィルタ補償効果の周波数依存性の低減は、３１０におけるものと同じように動作する。
【００８８】
スケーリングユニット６０９'を用いた６１０'における、反相関的入力信号成分に対するくし形フィルタ補償効果の周波数依存性の低減は、４１０'におけるものと同じように動作する。
【００８９】
乗算パラメータを導出するためのユニット６０６（６０６'）における信号処理は、ハードウェアまたはソフトウェアによってやはり実行することができる。従って、図６中のブロック６０６および６０６'に示されるように、閾値検出器６１１からの第１または第２制御信号６１５にそれぞれ応答して、ハードウェアまたはソフトウェアによる切り替えが行われる。
【００９０】
記載してきたミキシング装置の全ての例において、入力信号はデジタル化され、関連する周波数へと既に変換されている。
【００９１】
デジタル的な解決法においては、第１ユニット１０４、または３０４、または４０４、または６０４は、既に以前に示したように、ｅＡ［ｋ］＝Ｒｅ（Ａ［ｋ］）・Ｒｅ（Ａ［ｋ］）＋Ｉｍ（Ａ［ｋ］）・Ｉｍ（Ａ［ｋ］）に従って、第１パワー信号ｅＡ［ｋ］を導出するように設定されている。
【００９２】
第２ユニット１０５、または３０５、または４０５、または６０５は、ｅＢ［ｋ］＝Ｒｅ（Ｂ［ｋ］）・Ｒｅ（Ｂ［ｋ］）＋Ｉｍ（Ｂ［ｋ］）・Ｉｍ（Ｂ［ｋ］）に従って、第２パワー信号ｅＢ［ｋ］を導出するように設定されている。
【００９３】
相互相関ユニット１０３、または３０３、または４０３、または６０３は、ｘＡＢ［ｋ］＝Ｒｅ（Ａ［ｋ］）・Ｒｅ（Ｂ［ｋ］）＋Ｉｍ（Ａ［ｋ］）・Ｉｍ（Ｂ［ｋ］）に従って、相互相関信号ｘＡＢ［ｋ］を導出するように設定されている。
【００９４】
ミキシング装置は、アナログ方式によっても完全に実現することができたであろう。よって、ここまでデジタル回路として記載されてきたミキシング装置の全てのユニットは、アナログ回路として同等な方法で実現されるであろう。
【００９５】
図７は、３つの音声信号を混合するためのミキシング装置の例を概略図の形で示している。ミキシング装置には、（やはり、周波数の範囲に既に変換されている）３つの音声信号Ａ［ｋ］、またはＢ［ｋ］、またはＥ［ｋ］を受け取るための、３つの入力端子７５１、７５２、７５３が設けられている。２つの入力端子７５１および７５２は、図７中の回路ブロック７５４によって示されるサブ回路の対応する入力７０１または７０２に結合される。この回路ブロック７５４は、図１、３、４、または６を用いて既に記載された複数のユニットのうちの１つのユニットを含む。その結果、音声信号Ａ［ｋ］およびＢ［ｋ］は、図１、３、４、または６を用いて既に記載されたように、サブ回路７５４において混合される。サブ回路７５４の音声信号Ｓ［ｋ］が、出力７０８において提供される。出力７０８は、ライン７５５によって第２サブ回路７５６の第１入力７０１'に結合される。第３入力端子７５３は、第２サブ回路７５６の第２入力７０２'に結合される。
【００９６】
このサブ回路７５６はやはり、図１、３、４、または６を用いて既に記載された複数のユニットのうちの１つのユニットを含む。その結果、サブ回路７５４において既に生成されている混合信号Ｓ［ｋ］および音声信号Ｅ［ｋ］は、図１、３、４、または６を用いて既に記載されたようにサブ回路７５６において混合される。サブ回路７５６の音声信号Ｓ'［ｋ］が、出力７０８'において提供される。出力７０８'は、ミキシング装置の出力端子７５７に結合される。
【００９７】
発明は、示された例に限定されるものではないことをここで述べておくべきである。発明は、特許請求項に記載されるように定義される。従って、示されてきた例の様々な変更が可能であり、変更された例も、特許請求項によって依然として含まれるものである。既に述べてきたように、ミキシング装置は、アナログ回路の形で設計されることができ、あるいは、マイクロプロセッサ中のソフトウェアソリューションとして構造化されることができる。既に論じたように、ブロック１０７、または３０７、または４０７、または６０７における様々な要素が、異なる順序で構造化されてよい。
【００９８】
さらに、図４および６にそれぞれ従った例において、結合ユニット４１０'または６１０'の前にスケーリングユニット４０９'または６０９'が配置されるような解決法もまた可能であり、図３または図６中のブロック３０６および６０６にそれぞれ既に示されているような様式で、下流側において結合ユニットのスケーリングユニットが切り替えられることもまた述べておくべきことである。
【図１】
0006270063.tif 000002
【図２】
0006270063.tif 000003
【図３】
0006270063.tif 000004
【図４】
0006270063.tif 000005
【図５】
0006270063.tif 000006
【図６】
0006270063.tif 000007
【図７】
0006270063.tif 000008
【図８】
0006270063.tif 000009